(57)【要約】【課題】  矢を受けた場所の損傷の程度等に応じて該当部位を簡便かつスムーズに交換して、全体的な運用期間の長期化、運用コストの低減等を実現しうるあずち構成体を提供する。【解決手段】  射手に正対する射込み面１６を有するあずち構成体であり、対向両側端を開口１８し筒状に形成された中空筐体１２と、筐体１２のいずれかあるいは対向両側端の開口１８を介して筐体１２の中空部に着脱自在に密着状に装着され筐体１２に対する配置を任意に変更設定可能な矢受け部１４と、を含み、筐体１２のいずれかの面を射込み面１６として配置させることを特徴とするあずち構成体１０から構成される。筐体１２に対して矢受け部１４をスライド移動させるだけで交換作業等をスムーズに行うことができ、メンテナンスを簡単に行なうことができる。【選択図】図１
2006266625.tif 000002
【特許請求の範囲】
【請求項１】
射手に正対する射込み面を有するあずち構成体であり、
対向両側端を開口し筒状に形成された中空筐体と、
筐体のいずれかあるいは対向両側端の開口を介して筐体の中空部に着脱自在に密着状に装着され筐体に対する配置を任意に変更設定可能な矢受け部と、を含み、
筐体のいずれかの面を射込み面として配置させることを特徴とするあずち構成体。
【請求項２】
矢受け部は、筐体の中空部にスライド自在に挿着され射込み方向に対して重ね合わせるように配置された複数の矢受けブロックからなる請求項１記載のあずち構成体。
【請求項３】
矢受けブロックは、射ち込まれる矢に対する受止め緩衝力の程度を異ならせた複数の矢受けブロックからなる請求項２記載のあずち構成体。
【請求項４】
矢に対する受止め緩衝力が相対的に低い矢受けブロックが射込み面に近い側に挿入されるとともに、矢に対する受止め緩衝力が相対的に高い矢受けブロックが射込み面に遠い側に挿入されることを特徴とする請求項３記載のあずち構成体。
【請求項５】
筐体は、射込まれる矢が貫通可能な軽量可貫通材から構成されていることを特徴とする請求項１ないし４のいずれかに記載のあずち構成体。
【請求項６】
矢受けブロックは、少なくとも筐体の中空部と同じかまたはそれより小さなサイズで形成されていることを特徴とする請求項２ないし５のいずれかに記載のあずち構成体。
【請求項７】
矢受けブロックは、植物性材料を主原料とする発泡体により形成されていることを特徴とする請求項２ないし６のいずれかに記載のあずち構成体。
【請求項８】
筐体は、紙製であることを特徴とする請求項１ないし７のいずれかに記載のあずち構成体。
【請求項９】
請求項１ないし８のいずれかに記載のあずち構成体の複数を、互いに密着状に併設段積みしながら、射込み面が連続する壁面を形成するように上下左右に並べて構成されたことを特徴とするあずち壁構造体。
【請求項１０】
同一サイズのあずち構成体の複数が隣接する筐体と中空部を連通させるように両側面開口を位置合わせして配置され、
矢受けブロックのそれぞれが複数の筐体の中空部をまたがるように位置ずれした状態で配置されていることを特徴とする請求項９記載のあずち壁構造体。
【発明の詳細な説明】
【技術分野】
【０００１】
本発明は、和弓、洋弓等の矢を受けるあずち構成体及びあずち壁構造体に関する。
【背景技術】
【０００２】
和弓の稽古場等では、通常、的を立てかけるために、砂や土を盛ってあずちが形成される。あずちは、例えば、砂や土を高さ約１．５ｍ程度、横方向に１０ｍ程度の大きさに盛土して、その盛土の所定高さに的を的くし等の固定具を介して固定される。近年では、あずちの替わりに屋内でも利用できる畳を壁状に立てた設備が用いられている。畳を用いたあずちの代用設備は、例えば、畳が略垂直に立つように畳の後方側に鉄パイプ等を組みつけたパイプ構造物を構築し、畳をパイプ構造物に立てかけて、畳の前面側に的が所定の高さで配置される。しかしながら、従来のように畳を用いた設備では、設備全体が重量化し、運搬、設置作業等にも多大な労力や時間がかかっていた。さらに、矢を受けると、畳の一部分だけが損傷の程度が大きくなった場合でもその畳は使用できなくなって廃棄せざるをえず、経済性が低いものであった。また、畳は、比較的硬く設けられるので、弱い力で放たれた矢が跳ね返って刺さらない等の問題があった。
【０００３】
これに対し、特許文献１には、畳の替わりとして用いられる矢受板が開示されている。特許文献１の矢受板は、板状の繊維集合体からなる保持層と、保持層の一面に当接して設けられた板状の遮蔽板と、奥側から遮蔽板、保持層の順に収容するように矢を受ける表面側を開放した凹状ケースと、凹状ケースの開放側を被覆する被覆膜と、を有している。
【特許文献１】特開平８−２６１６９４号公報
【発明の開示】
【発明が解決しようとする課題】
【０００４】
しかしながら、特許文献１では、多数の矢を受けて保持層が損傷してくると、凹状ケース内の保持層や遮蔽板等を交換することもできるが、保持層や遮蔽板は凹状ケース内に隙間なく充填されているので、交換する際に、該保持層をケースから取り出すための隙間が少なく離脱操作させにくく、保持層の交換作業等を含むメンテナンス作業が煩雑であった。また、凹状ケース内の保持層を取り出す際には被覆膜を凹状ケースからいちいち離脱させる必要があり、手間がかかっていた。また、矢受板は、危険防止、矢の損傷防止のためにある程度広い面積で設けられるため、全体的に矢受板が大きく設けられており、運搬、設置作業等に不便なものであった。
【０００５】
本発明は上記従来の課題に鑑みてなされたものであり、その一つの目的は、矢を受けた場所の損傷の程度等に応じて、該当損傷箇所と未損傷または少損傷箇所との位置変換又は損傷した部材の交換等を簡便かつスムーズに行なって、全体的な運用期間の長期化、運用コストの低減等を実現しうるあずち構成体及びあずち壁構造体を提供することにある。また、他の目的は、運搬、設置作業を簡便に行えるあずち構成体及びあずち壁構造体を提供することにある。
【課題を解決するための手段】
【０００６】
上記課題を解決するために本発明は、射手Ｍに正対する射込み面１６を有するあずち構成体であり、対向両側端を開口１８し筒状に形成された中空筐体１２と、筐体１２のいずれかあるいは対向両側端の開口１８を介して筐体１２の中空部に着脱自在に密着状に装着され筐体１２に対する配置を任意に変更設定可能な矢受け部１４と、を含み、筐体１２のいずれかの面を射込み面１６として配置させることを特徴とするあずち構成体から構成される。
【０００７】
また、矢受け部１４は、筐体１２の中空部にスライド自在に挿着され射込み方向Ｘに対して重ね合わせるように配置された複数の矢受けブロック（２０，２２）からなることとしてもよい。矢受けブロックの大きさは、全て同じ大きさでもよく、それぞれ、異なる大きさに設けても良い。例えば、射ち込み方向の厚さを異ならせて設けても良い。
【０００８】
また、矢受けブロックは、射ち込まれる矢に対する受止め緩衝力の程度を異ならせた複数の矢受けブロック（２０，２２）からなることとしてもよい。
【０００９】
また、矢に対する受止め緩衝力が相対的に低い矢受けブロック（２０）が射込み面１６に近い側に挿入されるとともに、矢に対する受止め緩衝力が相対的に高い矢受けブロック（２２）が射込み面１６に遠い側に挿入されることとしてもよい。矢受けブロックは、射込み面に遠い側になるにつれて徐々に受止め緩衝力が高くなるように配置していくこととしてもよい。
【００１０】
また、筐体１２は、射込まれる矢が貫通可能な軽量可貫通材から構成されていることとしてもよい。矢を貫通させやすく、運搬中等に破けたり破損等しにくいある程度の強度をもつものが好適である。
【００１１】
また、矢受けブロック（２０，２２）は、少なくとも筐体１２の中空部と同じかまたはそれより小さなサイズで形成されていることとしてもよい。
【００１２】
また、矢受けブロック（２０，２２）は、植物性材料を主原料とする発泡体により形成されていることとしてもよい。発泡体は、例えば、スポンジ状に柔らかく弾性のあるものから、比較的硬くて剛体状のものまで任意の性質のものでよく、矢の射ち込み力や抜きやすさ等の条件に応じて設定するとよい。
【００１３】
また、筐体１２は、紙製であることとしてもよい。
【００１４】
さらに、本発明は、請求項１ないし８のいずれかに記載のあずち構成体１０の複数を、互いに密着状に併設段積みしながら、射込み面１６が連続する壁面を形成するように上下左右に並べて構成されたことを特徴とするあずち壁構造体１００から構成される。上下の段数や左右へのする個数を任意に設定でき、所要の広さのあずち壁面を形成することができる。また、例えば、あずち構成体１０を持ち運びしやすいサイズで形成しておくと、簡便に運搬して、あずち壁構造体１００を構築することができる。
【００１５】
この際、同一サイズのあずち構成体１０の複数が隣接する筐体１２と中空部を連通させるように両側面開口１８を位置合わせして配置され、矢受けブロック（２０，２２）のそれぞれが複数の筐体１２の中空部をまたがるように位置ずれした状態で配置されている構成とすると好適である。あずち構成体１０及びその構成部材を統一することにより、各部材を量産しておいて、部材交換を効率よく行うことができる。
【発明の効果】
【００１６】
本発明のあずち構成体によれば、射手に正対する射込み面を有するあずち構成体であり、対向両側端を開口し筒状に形成された中空筐体と、筐体のいずれかあるいは対向両側端の開口を介して筐体の中空部に着脱自在に密着状に装着され筐体に対する配置を任意に変更設定可能な矢受け部と、を含み、筐体のいずれかの面を射込み面として配置させることから、損傷程度に応じて射込み面に対する矢受け部の位置を自在に変更させたり、構成部材を適宜交換させて、全体的に長期間使用することができ、運用コストを低減できる。特に、筐体に対してスライド移動させるだけで、所定位置に合わせて矢受け部のほとんど損傷していない部分の位置に変更できたり、または、部材の交換作業等をもスムーズに行うことができ、メンテナンスが簡単に行なえる。さらに、所定位置に簡単に設置して使用することができる。また、構成が簡単で、低コストで製造できる。
【００１７】
また、矢受け部は、筐体の中空部にスライド自在に挿着され射込み方向に対して重ね合わせるように配置された複数の矢受けブロックからなる構成とすることにより、損傷しやすさが異なる矢受け部の射込み方向の深さに応じてそれぞれの部分ごとに交換することができ、より経済的に運用することができる。
【００１８】
また、矢受けブロックは、射ち込まれる矢に対する受止め緩衝力の程度を異ならせた複数の矢受けブロックからなる構成とすることにより、例えば、矢の受け止め力、矢の刺さりやすさ、抜きやすさ、あるいは損傷しやすさ等の種々条件に応じて矢受け部を設定でき、実用性を向上させうる。
【００１９】
また、矢に対する受止め緩衝力が相対的に低い矢受けブロックが射込み面に近い側に挿入されるとともに、矢に対する受止め緩衝力が相対的に高い矢受けブロックが射込み面に遠い側に挿入される構成とすることにより、射ち込まれる矢の威力の強弱に関わらず矢受け部で矢を受け止めることができ、安全で実用性が高い。
【００２０】
また、筐体は、射込まれる矢が貫通可能な軽量可貫通材から構成されていることとすることにより、矢を貫通させて矢受け部で確実に受止めることができる。また、軽量で運搬、設置作業等が楽に行える。
【００２１】
また、矢受けブロックは、少なくとも筐体の中空部と同じかまたはそれより小さなサイズで形成されている構成とすることにより、矢受けブロックを筐体内に収容させて、コンパクトな状態で嵩張らず、効率的に運搬や収納を行なえる。
【００２２】
また、矢受けブロックは、植物性材料を主原料とする発泡体により形成されている構成とすることにより、全体的に軽量に製造でき、運搬、設置作業等を低労力、短時間で行うことができる。さらに、焼却する際にも有毒ガスの発生が少なく環境に悪影響を及ぼしにくいので、使用後には、一般ゴミとして簡単に廃棄処理することができる。
【００２３】
また、筐体は、紙製である構成とすることにより、矢が貫通可能な構成を低コストで製造できる。また、使用後には一般ゴミとして簡単に廃棄処理することができる。
【００２４】
また、本発明のあずち壁構造体によれば、請求項１ないし８のいずれかに記載のあずち構成体の複数を、互いに密着状に併設段積みしながら、射込み面が連続する壁面を形成するように上下左右に並べて構成されたことから、弓を引く人数等に応じた面積のあずちを簡単に構築できる。特に、大人数でも同時に使用できるような広い面積のあずちを必要とする場合に有効に適用することができる。
【００２５】
また、同一サイズのあずち構成体の複数が隣接する筐体と中空部を連通させるように両側面開口を位置合わせして配置され、矢受けブロックのそれぞれが複数の筐体の中空部をまたがるように位置ずれした状態で配置されている構成とすることにより、あずち構成体どうしが連結された一体的な構造体となり、矢を受け止めた際や刺さっている矢を抜く際等に互いにずれにくく、隙間が生じるのを良好に防止できる。また、矢受けブロックを、例えば、数ｍｍ〜数十ｃｍ等の任意の幅で自在に位置を変更させることができ、受止め緩衝力を良好な状態に保持しながら使用することも期待できる。また、簡単、低コスト構造であずち構成体どうしを連結できる。また、構築及び撤去作業も低労力、短時間で行なえる。
【発明を実施するための最良の形態】
【００２６】
以下添付図面を参照しつつ本発明のあずち構成体及びあずち壁構造体について説明する。本発明のあずち構成体及びあずち壁構造体は、和弓、洋弓等の矢を受止める、いわゆる、あずちの代用として好適に用いられる。
【００２７】
図１ないし図３は、本実施形態のあずち構成体を示している。本実施形態において、あずち構成体１０は、筒状の筐体１２と、筐体１２の中空部に着脱自在に装着される矢受け部１４と、を備えている。
【００２８】
筐体１２は、図１、図２、図３に示すように、対向両側端を開口１８し筒状に形成された中空筐体である。本実施形態では、筐体１２は内部に中空部を形成するように断面略正方形状に一体的に形成された４つの側壁により対向両端側を開口させた角筒状に設けられている。本実施形態では、筐体１２を形成している４つの側壁はそれぞれ略正方形状に設けられており、筐体１２の外形形状は略立方体状となっている。筐体１２は、射込まれる矢が貫通可能な、例えばダンボール紙等の軽量可貫通材から形成されている。本実施形態では、筐体１２は、いずれかの側壁の外面を設置面として平面上に配置させ、該設置面から略直角に立設される対向側壁のうち一つ側壁の外面を射手Ｍに正対するように配置させて射込み面１６としている。筐体１２は、射込み面１６を貫く方向を射込み方向Ｘとし、射手に対して左右方向に両開口１８を向けて、射込み面が形成された前壁と、前壁と対向する後壁と、上下に対向する下壁及び上壁と、を有している。なお、筐体１２には、射込み面１６となる一つの側壁に識別表示を付していてもよい。また、いずれの側壁を射込み面として利用できるようにしてもよい。
【００２９】
本実施形態において、矢受け部１４は、図１、図２、図３に示すように、射込み方向にある程度の厚さを有しており、射ち込まれる矢を受け止め緩衝力により受け止める部分であり、筐体の開口１８を介して、筐体１２の中空部に着脱自在に密着状に装着される。矢受け部１４は、筐体１２に対する配置を任意に変更設定可能となっており、筐体１２の射込み面１６に対応した所定位置に容易にスライド変換自在に配置させることができる。これにより、例えば、筐体の射込み面に対する矢受け部の損傷部分と未損傷部分とを位置を自在に変更させて長期的に使用することができる。本実施形態では、矢受け部１４は、筐体の略立方体状の中空部に開口１８を介してスライド自在に嵌合状に装着され、射込み方向Ｘに対して重ね合わせるように配置された２個の矢受けブロック２０，２２からなる。前矢受けブロック２０、後矢受けブロック２２は、筐体１２の中空部空間を前後方向（射込み方向）に略２等分したものと等しい大きさ形状の立体矩形箱状のブロックで形成されている。前矢受けブロック２０、後矢受けブロック２２は、筐体の中空部の連通方向長さ及び高さ方向の長さが略等しく、かつ射込み方向の長さが筐体の中空部の略半分長さの立体矩形状ブロック体からなり、筐体１２中空部内で互いに面合わせ状態で装着される。すなわち、前矢受けブロック２０、後矢受けブロック２２は、射込み方向Ｘと交差する面での断面形状が筐体１２の中空部と略同じサイズで設けられており、筐体１２内に嵌合状に完全収納されるように設定されている。各矢受けブロック２０，２２は、それぞれが独立して筐体１２に対してスライド移動による位置変更することができる。矢受けブロックの的位置に対応する部分が矢を受けて損傷してきた場合には、矢受けブロックをいずれかの開口に向けてスライド移動させて、該的２４に対応する位置に未損傷部分が配置されるように設定して利用することもできる。また、矢受けブロック２０，２２は、筐体の開口１８を介して着脱させて、矢受けブロックを別々に交換することもできる。このようにして、矢受け部の位置変更や部材交換を簡便に行って長期的に利用でき、経済的に運用することができる。なお、本実施形態では、矢受け部１４は、２個の矢受けブロックから設けられているが、３個以上の矢受けブロックから構成されていてもよい。
【００３０】
本実施形態では、前矢受けブロック２０、後矢受けブロック２２は、射ち込まれる矢に対する受け止め緩衝力の程度を異ならせて設けられている。具体的には、筐体の中空部の射込み面１６に近い側の前矢受けブロック２０としては、矢に対する受け止め緩衝力が相対的に低い低抵抗矢受けブロックが挿入されるとともに、筐体１２の中空部の射込み面１６に遠い側の後矢受けブロック２２としては、矢に対する受止め緩衝力が相対的に高い高抵抗矢受けブロックが挿入される。射込み面１６に近い側の前矢受けブロック２０を配置させることにより、例えば、子供や女性等により射込まれた比較的威力が弱い矢でも跳ね返ることなく矢受け部に刺さって受止めることができる。一方、射込み面に遠い側の後矢受けブロック２２を配置させることにより、例えば、成人男性等により射込まれる比較的威力が強い矢の場合でも矢受け部内で受止めて矢があずち構成体を貫通してしまうのを防止できる。すなわち、射ち込まれる矢の強弱に関係なく、矢受け部１４で矢を受止めることができ、安全で使いやすいあずち構成体を実現できる。
【００３１】
矢受けブロック２０、２２は、本実施形態では、例えば、とうもろこしのでん粉（コーンスターチ）等の植物性材料を主原料として、ポリプロピレン等の樹脂や生分解性樹脂等を混合して、水蒸気で発泡させて形成された発泡体からなる。本実施形態では、矢受けブロック２０，２２は、例えば、板状に形成されて発泡体の複数枚を、上記立体矩形状に設けられたダンボール紙製の箱体内に密着収納して、設けられている。矢受けブロック２０、２２を発泡体で形成させたことにより、矢を受け止めることができるとともに矢を容易に抜くことができる。また、矢受けブロック２０，２２及びあずち構成体１０全体が軽量となり、運搬、設置作業等を低労力、短時間で行なうことができる。なお、矢受けブロック２０，２２は、例えば、ダンボール箱等の中に板状やバラ状またはブロック状の発泡体を収容したものでもよく、一個のブロック状に形成された発泡体から構成したものでもよい。本実施形態では、前矢受けブロック２０は、例えば、発泡率が比較的高くて矢が刺さりやすい発泡体からなり、後矢受けブロック２２は、気泡が比較的少なくて硬く矢が貫通しにくい発泡体からなる。矢受けブロック２０，２２は、植物性原料を主材とした発泡体で設けることにより、矢を受止めて損傷した後に焼却廃棄等する際に、発泡スチロールに比べて焼却時の有毒ガスの発生が少なく環境に良好である。また、矢を受止める際に、発泡スチロールのように矢が刺さる際の摩擦熱で溶けて矢にまとわりついて固まることがほとんどなく、矢が抜けにくなったり矢に異物が付着したりするのを防止できる効果を期待できる。
【００３２】
なお、本実施形態では、あずち構成体１０は、例えば、全体的に略立方体形状に設けられており、平らな載置面上に自立できるとともに、矢を受けた際にも倒れにくい形状に設けられている。したがって、本実施形態では、あずち構成体を別途に支持する支持手段を必要とせず、簡単に設置して使用することができる。なお、筐体の射ち込み方向後方側の側壁の中空部側または外面側に、矢の貫通防止のための例えばケナフ等の不織布（図示せず）を配置させることとしてもよい。
【００３３】
次に、図４ないし図６を参照しつつ、あずち壁構造体について説明する。図４図５に示すように、本実施形態において、あずち壁構造体１００は、上記のような図１ないし図３に示したあずち構成体１０の複数を、互いに密着併設段積みしながら、射込み面１６が連続する壁面を形成するように上下左右に並べて構成されている。本実施形態では、あずち壁構造体１００は、例えば、各辺が略５０ｃｍの略立方体形状の同一サイズの複数のあずち構成体１０を並べて設けられている。あずち壁構造体１００は、複数のあずち構成体１０が隣接する筐体１２と中空部を連通させるように両側面開口１８を位置合わせして配置されて、矢受けブロック２０、２２のそれぞれが複数の筐体２０の中空部をまたがるように位置ずれした状態で配置されている。矢受けブロック２０，２２は、それぞれ隣接する左右の矢受けブロックと密着当接して配置される。本実施形態では、矢受けブロック２０，２２が連結手段となってあずち構成体どうしを連結し、矢を受けた際や矢を抜く際等にあずち構成体がずれて隙間が生じるの防止できる。さらに、本実施形態では、矢受けブロック２０の隣接当接位置Ｙ１と、矢受けブロック２２の隣接当接位置Ｙ２とは、射込み方向Ｘに対して水平方向にずれた位置に設定されている。すなわち、前矢受けブロック２０の当接位置Ｙ１の後方側には、後矢受けブロック２２本体が配置されるように設定されている。これにより、前矢受けブロック間の継目の位置に矢が入っても矢を受け止めることができる。なお、あずち壁構造体１００の横方向の長さは、例えば、数ｍ〜数十ｍまで任意に設定することができ、競技者人数等に応じて任意の大きさに構築することができる。一方、あずち構成体の上下方向への段積みは、筐体の上下に設けられている平坦面を利用して、下段のあずち構成体１０の上に上段のあずち構成体を載置させるだけで段積みされている。本実施形態では、あずち壁構造体１００は、例えば、上下３段に段積みされて、高さが１．５ｍ程度に設けられている。本実施形態では、他の支持装置等を必要としないであずち構成体どうしを上下左右に併設して設けられているが、例えば、かすがいなどの任意の固定手段であずち構成体どうしを連結固定することとしてもよい。
【００３４】
さらに、本実施形態では、図４に示すように、構築されたあずち壁構成体１００の正面側の連続する射込み面１６には、例えば、床面から的の中心が約２８ｃｍの高さになるように、的２４が配置され的串等を介して固定される。的２４は、例えば、水平方向に１．５〜１．８ｍの間隔で離隔して複数個配置されている。的２４は、必ずしも一つのあずち構成体１０が構成している前壁の射込み面１６の左右中心位置に配置されるとは限らないが、前矢受けブロック２０が筐体に対して自在にスライド移動し、かつ互いに密着当接しながら配置されるので、いずれの位置でも良好に矢を受止めることができる。あずち壁構成体が多数の矢を受止めるにしたがって、的２４の周辺が集中して矢を受けて損傷してきた場合には、例えば、各矢受けブロック２０を筐体１２に対してスライド移動させて、ほとんど損傷を受けていない部分を的２４の位置に対応した位置に変更させながら続けて使用することもできる。特に、矢受けブロックを、例えば、数ｍｍ、数ｃｍまたは数十ｃｍ等の任意の幅で自在に位置を変更させながら使用することができる。なお、図６に示すように、射ち込み面１６側には、的が見やすいように、例えば、黒色のポリエチレン発泡シート２６を設置すると良い。
【００３５】
本実施形態に係るあずち壁構造体を構築する場合には、まず、同一サイズの複数のあずち構成体１０を用意しておき、例えば、筐体１２の中空部に矢受けブロック２０，２２を収納した状態で所定の場所へ運搬する。例えば、床面Ｆ上にそれらのあずち構成体１０を載置し、矢受けブロック２０，２２をそれぞれ筐体１２に対してスライドさせて、矢受けブロック２０，２２の一部を筐体１２のいずれかの端部開口１８から横に突出させる。矢受けブロック２０，２２をスライドさせて形成された筐体１２の中空部の空間に、他のあずち構成体の矢受けブロック２０，２２の突出部分を挿入させて、該矢受けブロックが２つの筐体の中空部をまたがるように配置させて、それらを連結する。これらを繰り返し、水平方向にあずち構成体を長く並べると共に、上下方向にもあずち構成体を段積みして、広い壁面のあずち壁構造体を構築する。そして、射込み面１６側には、的２４が所定の高さに取り付けられる。これにより、室内、室外場所を選ばず、簡単に施工できる。一方、使用後には、上記と逆の手順であずち構成体に分解する。各あずち構成体は、筐体の開口から突出している矢受けブロックをスライドさせて筐体の中空部内に収納してコンパクトにした状態で撤去する。損傷の程度に応じて、矢受けブロック等の構成部材を適宜交換して、全体的に長期間使用することができ、運用コストが低廉である。
【００３６】
以上説明した本発明のあずち構成体及びあずち壁構造体は、上記した実施形態のみの構成に限定されるものではなく、特許請求の範囲に記載した本発明の本質を逸脱しない範囲において、任意の改変を行ってもよい。
【産業上の利用可能性】
【００３７】
本発明のあずち構成体及びあずち壁構造体は、体育館等の屋内や屋外等の所定の位置に設置して、和弓、洋弓等の弓の練習又は競技用の的場等に好適に適用することができる。
【図面の簡単な説明】
【００３８】
【図１】本発明の実施形態に係るあずち構成体の斜視図である。
【図２】図１のあずち構成体の縦断面図である。
【図３】図１のあずち構成体の横断面の作用説明図である。
【図４】本実施形態に係るあずち壁構造体の正面図である。
【図５】図４のＡ−Ａ線断面一部拡大図である。
【図６】あずち壁構造体の使用状態説明図である。
【符号の説明】
【００３９】
１０  あずち構成体
１２  筐体
１４  矢受け部
１６  射込み面
１８  開口
２０  前矢受けブロック
２２  後矢受けブロック
１００  あずち壁構造体
Ｘ  射込み方向
【図１】
2006266625.tif 000003
【図２】
2006266625.tif 000004
【図３】
2006266625.tif 000005
【図４】
2006266625.tif 000006
【図５】
2006266625.tif 000007
【図６】
2006266625.tif 000008